(57)【要約】【課題】集塵袋の後方のフィルタにおいて、部品点数を増やすことなく、またフィルタ強度のバラツキが少なく、フィルタの圧力損失を低減させた電気掃除機を提供する。【解決手段】電気掃除機本体の内部に備えられた電動送風機室１ａと集塵室１０１の間の仕切り壁８の開口部９の前面に、プリーツ状に折り込まれたフィルタ濾材３２とフィルタ枠２９を一体に形成したフィルタ３１を設け、さらに前記プリーツ状に折り込まれたフィルタ３１と仕切り壁８との間に隙間を設けたものである。【選択図】        図３
2004174020.tif 000002
【特許請求の範囲】
【請求項１】
電動送風機を内蔵する電動送風機収納部と、
吸込口から吸込んだ塵埃を捕集する着脱自在の集塵フィルタを装着する集塵室と、
前記集塵室と前記電動送風機収納部とを仕切る仕切り壁と、
前記仕切り壁に設けられ前記集塵室と前記電動送風機収納部を連通する開口部と、
前記集塵室にプリーツ状に折られた不織布からなるフィルタ濾材を有するフィルタとを備えた電気掃除機本体において、
前記フィルタ濾材をフィルタ枠と一体に形成したフィルタを備えたことを特徴とする電気掃除機。
【請求項２】
前記フィルタ濾材のプリーツの折り線を縦方向に形成したことを特徴とする請求項１記載の電気掃除機。
【請求項３】
前記フィルタ濾材と前記仕切り壁との間に隙間を設けたことを特徴とする請求項１又は２記載の電気掃除機。
【請求項４】
前記フィルタ枠に内部リブを設け、該内部リブを前記フィルタ濾材のプリーツの折り線と平行にしたことを特徴とする請求項１〜３のいずれかに記載の電気掃除機。
【請求項５】
前記フィルタ濾材を前記集塵フィルタに当接したことを特徴とする請求項１〜４のいずれかに記載の電気掃除機。
【請求項６】
前記フィルタ濾材を前記集塵フィルタに当接させ、さらに前記フィルタ濾材のプリーツの折り線と前記集塵フィルタの折り方向を同じ方向にしたことを特徴とする請求項１〜４のいずれかに記載の電気掃除機。
【請求項７】
前記フィルタの横方向を集塵室の左右壁とほぼ同じ長さにし、前記フィルタ濾材のプリーツの折り線を前記開口部へ向かうように横方向に形成して、前記開口部の前面外から通過した空気がプリーツの谷間と仕切り壁の間を通過できるようにしたことを特徴とする請求項３〜６のいずれかに記載の電気掃除機。
【発明の詳細な説明】
【０００１】
【発明の属する技術分野】
本発明は一般家庭等で使用される電気掃除機において、高集塵効率のフィルタを備えた電気掃除機に関する。
【０００２】
【従来の技術】
従来の電気掃除機は、掃除機本体の吸込口から吸込んだ塵埃を掃除機本体に装着した集塵フィルタ（紙パック）によって濾過し、さらにその後方のフィルタ等で濾過された空気を掃除機本体の外側へ排気する構造が採られている。
【０００３】
近年、衛生上の理由から塵埃の捕集効率の高い電気掃除機が要求され、掃除機本体の外側へ微細塵埃を排出しないよう高捕集効率のフィルタを装着するものが増えてきた。
【０００４】
しかし、高集塵効率のフィルタを搭載する電気掃除機においては、集塵フィルタの後方に配置されたフィルタによって吸込性能が低下してしまうといった問題が発生する。従って、掃除機本体から排気される塵埃量を低減させ、かつ掃除機本体の吸込性能を低下させないようにすることが重要である。
【０００５】
一般に濾材の特性は、面積を大きく取ることにより濾材を通過する空気の風速が低下し圧力損失が低下する。このような特性があるため、従来の集塵フィルタの後方に配置されたフィルタでは濾材を幾重にも折り込んでプリーツ状にし濾材の面積を大きく取るようにしている。折り込んだ濾材はプラスチック製又は紙製の枠体に接着剤等で固定、もしくは袋状のフィルタに包まれる。このようにすることによって、掃除機本体から排気される塵埃量を低減させ、かつ掃除機本体の吸込性能を低下させないようにしている。
【０００６】
従来のこのような電気掃除機は、集塵フィルタを収納する集塵室と電動送風機が収納される電動送風機収納室との間に仕切り壁が配置されており、この仕切り壁には開口部が設けられている。またこの仕切り壁の集塵室側にはフィルタカバー及び中間部フィルタが配置されている。
【０００７】
上記のような電気掃除機は、中間部フィルタの濾材を横向きのプリーツ状に折り込むことによって、開口部の前面外から流れ込んだ空気が必要以上に濾材を通過することなく開口部に流れるようにして、圧力損失を増加させることなく空気を濾過できるようにしている。また、中間部フィルタの排気側にスポンジ状フィルタ等を設けることによって空気がプリーツ状フィルタを不必要に通過することがなくなり、またプリーツ状フィルタが仕切り壁に吸い付かなくなるため圧力損失を低下させることができるとしている（例えば、特許文献１参照）。
【０００８】
【特許文献１】
特開平１１−５６７１７号公報（第５頁、第６頁、図１，図８，図１０）
【０００９】
【発明が解決しようとする課題】
特許文献１の電気掃除機においては、フィルタカバーに中間部フィルタを着脱自在に装着し、中間部フィルタはプリーツを固定するためにプリーツと直交するように合成樹脂等で固定されている。更に、濾材はフィルタ枠に接着固定されている。
【００１０】
即ち、従来の技術では、
課題１としてフィルタ部分がフィルタ枠と中間部フィルタとフィルタカバーの３部品から構成され、部品点数が多いこと、
課題２として中間部フィルタはフィルタ枠に接着固定されているため接着剤の塗布量によっては固着強度にバラツキが多いこと、
課題３としてプリーツ状フィルタを固定するためにプリーツ状フィルタと直交するように合成樹脂等で固定したためプリーツ折りした谷部まで合成樹脂が入り込み谷部を埋めてしまい空気の流れを塞き止めてしまうこと、
課題４として吸込時にプリーツ状フィルタが仕切り壁に吸い付かないようにするために中間部フィルタと仕切り壁の間に圧力損失の低いスポンジ状フィルタ等を設けるため部品点数が多くなること、
が挙げられる。
【００１１】
本発明は上述の課題を解決するためになされたもので、部品点数を増やすことなく、またフィルタ強度のバラツキが少なく、フィルタの圧力損失を低減させた電気掃除機を提供することを目的とする。
【００１２】
【課題を解決するための手段】
本発明に係る電気掃除機は、電動送風機を内蔵する電動送風機収納部と、吸込口から吸込んだ塵埃を捕集する着脱自在の集塵フィルタを装着する集塵室と、前記集塵室と前記電動送風機収納部を仕切る仕切り壁と、前記仕切り壁に設けられ前記集塵室と前記電動送風機収納部を連通する開口部と、前記集塵室にプリーツ状に折られた不織布からなるフィルタ濾材を有するフィルタを備えた電気掃除機本体において、前記フィルタ濾材をフィルタ枠と一体に形成したフィルタを備えたものである。
【００１３】
【発明の実施の形態】
実施形態１．
図１は本発明の実施形態１に係る電気掃除機の横断面の模式図であり、図２は図１のフィルタの模式図である。図１に示すように、電動送風機１が収納される電動送風機収納部１ａ，その隣りにコードリール２を収納するコードリール収納室２ａ及びその前方に仕切り壁８に仕切られた集塵室１０１が設けられ、集塵室１０１には集塵フィルタ４とフィルタ３１が収納されている。また仕切り壁８には電動送風機１によって発生した吸込風を連通させるための開口部９が設けられている。集塵フィルタ４は集塵室１０１にセットするときは集塵袋４ａを左右に折り畳んである。
【００１４】
図２に示すように、フィルタ３１はＡＢＳ等からなるフィルタ枠２９とフィルタ濾材３２が一体に形成されており、フィルタ濾材３２は高捕集効率のもので、アコーディオン状即ちプリーツ状に折り込まれて縦方向（鉛直方向）に形成されている。また前記フィルタ３１はプリーツを固定するために例えば樹脂からなるフィルタ枠２９がプリーツの外周全周を覆うように形成されている。集塵フィルタ４は図１のフック１０２に着脱自在に固定され、またフィルタ３１も集塵室１０１に着脱自在に取り付けられている。また前記フィルタ３１のプリーツの谷部３１ａは開口部９に当接している。
【００１５】
本実施形態１では、電動送風機１に通電が開始されると、集塵フィルタ４はホース（図示せず）を介して流入した塵埃と空気を濾過し塵埃のみを捕集する。その際、左右に折り畳んだ集塵袋４ａは図１の矢印Ｘのように開いて広がる。この集塵フィルタ４により濾過された空気はフィルタ３１を通り、仕切り壁８の開口部９を通って電動送風機１へ流れる。このとき空気は集塵フィルタ４に加えて、さらにフィルタ３１により濾過され、よりきれいな空気となる。
【００１６】
本実施形態１においては、フィルタ３１はＡＢＳ等からなるフィルタ枠２９とフィルタ濾材３２が一体に形成されており、またプリーツを固定するために樹脂よりなるフィルタ枠２９がプリーツの外周全周を覆うように形成され、また前記フィルタ３１のプリーツの谷部３１ａは開口部９に当接しているので、フィルタ３１は電動送風機１の吸引力にも耐えられる。またフィルタ３１は一体に形成されているので、従来技術（例えば、特許文献１参照。）のフィルタカバーが不要となり、部品点数を削減することができる。さらにフィルタ３１はフィルタ濾材３２を接着固定していないため固着強度にバラツキがなくフィルタ３１の強度を確保することができる。
【００１７】
実施形態２．
図３は本発明の実施形態２に係る電気掃除機の横断面の模式図である。また図４及び図５は、図３のフィルタの裏側及び表側の模式図である。図３に示される実施形態２に係る電気掃除機の横断面の模式図は、フィルタ３１の構成を除くと図１の実施形態１と同一である。図４及び図５に示すようにフィルタ３１はＡＢＳ等からなるフィルタ枠２９とフィルタ濾材３２が一体に形成されており、フィルタ濾材３２は高捕集効率であり、アコーディオン状即ちプリーツ状に折り込まれて形成されている。また、前記フィルタ３１はプリーツを固定するために例えば樹脂からなるフィルタ枠２９がプリーツの外周全周を覆うように形成されている。このときフィルタ濾材３２は図４のように、フィルタ枠２９の裏側にｔ１だけ隙間ができるように一体に形成している。これにより開口部９とフィルタ３１裏面との間に隙間ｔ１が設けられる。また、図４及び図５に示すようにフィルタ濾材３２と直交するように内部リブ２９ｂが開口部側の隙間ｔ１を塞がないように、１本設けられている。なお内部リブ２９ｂは複数本設けてもよい。
【００１８】
本実施形態２では、吸塵が始まると集塵フィルタ４の左右に折り畳んだ集塵袋４ａがフィルタ３１のフィルタ枠２９と内部リブ２９ｂに当接しながら開き広がり、塵埃と空気を濾過し塵埃のみを捕集する。そして空気は、矢印Ｙのようにフィルタ３１を通り電動送風機１へ流れる。このとき開口部９とフィルタ３１との間に隙間ｔ１が設けられているため、空気は必要以上に濾材を通過することなく開口部９へ流れるため、圧力損失を増加させることなく濾過することができる。また、本実施形態２は、フィルタ３１を開口部９の前面のみでなく、更に広い面積に設置することもできるが、そのような場合には隙間ｔ１を設けることによって圧力損失を低減させれば大きな効果が得られる。
【００１９】
従来技術（例えば、特許文献１参照。）では隙間を設けるためにスポンジ等の部品を追加していたが、本実施形態２では、フィルタ濾材３２はフィルタ枠２９の裏側に隙間を設け一体に形成し、またフィルタ濾材３２と直交するように内部リブ２９ｂがフィルタ３１に設けられているので、吸込時にプリーツ状フィルタが仕切り壁に吸い付かず、また電動送風機１の吸引力にも耐えられる。またフィルタ３１は一体に形成されているので部品点数を削減することもできる。
【００２０】
実施形態３．
図６は本発明の実施形態３に係る電気掃除機の集塵室の断面の模式図であり、図７は図６のフィルタ３１の模式図である。図７に示すように、フィルタ濾材３２はプリーツ状に折り込まれて形成され、これと平行になるように内部リブ２９ｂが１本設けられている。なお内部リブ２９ｂは複数本設けてもよい。内部リブ２９ｂはフィルタ濾材３２のプリーツの折り線と平行であるが、平行であるとはほぼ平行な状態を含むものである。内部リブ２９ｂは吸込時の風圧に耐えられるようにフィルタ３１の裏側（仕切り壁側）に設けるのが望ましい。
【００２１】
本実施形態３では、吸塵が始まると集塵フィルタ４は塵埃と空気を濾過し塵埃のみを捕集する。そしてその空気はフィルタ３１を通り、図６の矢印Ｚのように開口部９の中心に向かって流れる。このとき内部リブ２９ｂとフィルタ濾材３２のプリーツの折り線が平行なので、空気が内部リブ２９ｂに塞き止められず開口部９に流れる。
【００２２】
従来技術（例えば、特許文献１参照。）ではプリーツを固定するためにプリーツと直交するように合成樹脂等のリブで固定していたためプリーツの谷部を合成樹脂等が埋めてしまい空気の流れを塞き止めてしまっていたが、本実施形態３では内部リブ２９ｂがフィルタ濾材３２と平行で、またフィルタ３１は一体に形成されているので空気の流れを塞き止めることがない。またフィルタ３１が一体に形成されているので部品点数が削減でき、フィルタ濾材の固着強度にバラツキがなくフィルタ強度を確保することができる。
【００２３】
実施形態４．
図８は本発明の実施形態４に係る電気掃除機の横断面の模式図である。図８に示される実施形態４に係る電気掃除機の横断面の模式図は、フィルタ３１の構成及び集塵袋４ａを除き、図１の実施形態１と同一である。
【００２４】
フィルタ３１はＡＢＳ，ＰＰ等からなるフィルタ枠２９とフィルタ濾材３２が一体に形成されており、フィルタ濾材３２は高捕集効率のものでアコーディオン状即ちプリーツ状に折り込まれて形成されている。また、前記フィルタ３１はプリーツを固定するために、例えば樹脂からなるフィルタ枠２９がプリーツの外周全周を覆うように形成されている。また図８に示すようにプリーツの山部３２ａとフィルタ枠２９の高さｈはほぼ同じである。また図８では図示していないが、内部リブ２９ｂを設ける場合もプリーツの山部３２ａと内部リブ２９ｂの高さｈはほぼ同じである。これにより集塵フィルタ４とフィルタ３１が直接当接できる。集塵フィルタ４はフック１０２に着脱自在に固定され、またフィルタ３１も集塵室１０１に着脱自在に固定されている。
【００２５】
本実施形態４では、電動送風機１に通電が開始されると集塵フィルタ４はホース（図示せず）を介して流入した塵埃と空気により、左右に折り畳んだ集塵袋４ａが開き広がり塵埃と空気を濾過し塵埃のみを捕集する。このとき電動送風機１の吸引により集塵フィルタ４とフィルタ３１が当接し、集塵袋４ａはフィルタ濾材３２の谷部に入り込み波状になる。このため集塵袋４ａとフィルタ３１の接触面積が拡大し、集塵フィルタ４の排気面積が拡大できる。この集塵フィルタ４により濾過された空気はフィルタ３１を通り、仕切り壁８の開口部９を通り電動送風機１へ流れる。このとき空気はさらにフィルタ３１により濾過されきれいな空気となる。
【００２６】
従来技術（例えば、特許文献１参照。）では、フィルタカバーが集塵フィルタ４とフィルタ３１の間にあり、折り畳んだ集塵袋４ａが開いて広がったときにフィルタ濾材３２の谷部に入り込めず、集塵袋４ａの後部はほぼフラット状になっていた。本実施形態４では、集塵袋４ａが波状になり集塵フィルタ４の排気面積が拡大するので、集塵フィルタ４の圧力損失を低減することができる。
【００２７】
実施形態５．
図９は本発明の実施形態５に係る電気掃除機の横断面の模式図である。図９に示すように、集塵フィルタ４はフック１０２に着脱自在に固定され、またフィルタ３１も集塵室１０１に着脱自在に取り付けられている。集塵フィルタ４は、集塵室１０１にセットするときは集塵袋４ａを左右に折り畳んである。フィルタ３１はＡＢＳ，ＰＰ等からなるフィルタ枠２９とフィルタ濾材３２を一体に形成しており、フィルタ濾材３２は高捕集効率のものでアコーディオン状即ちプリーツ状に折り込まれて横方向（水平方向）に形成されている。また、フィルタ３１はプリーツを固定するために例えば樹脂からなるフィルタ枠２９がプリーツの外周全周を覆うように形成されている。さらに内部リブ２９ｂがフィルタ濾材と平行に１本設けられている。なお、内部リブ２９ｂは複数本であってもよい。
【００２８】
本実施形態５では、フィルタ３１は、フィルタ枠２９の集塵フィルタ４側をプリーツの山部３２ａの高さｈとほぼ同じ高さにし、開口部９側はｔ１だけ隙間を設けて一体に形成している。これにより開口部９とフィルタ３１の裏面との間に隙間ｔ１が設けられる。図９では図示しないが、内部リブ２９ｂを設ける場合はプリーツの山部３２ａとフィルタ枠２９の集塵フィルタ側の高さｈがほぼ同じになるようにし、またプリーツ及び内部リブ２９ｂが開口部側の隙間ｔ１を塞がないように設ける。フィルタ３１の横方向の長さは図９に示すように、集塵室１０１の左右の壁１０１ａ、１０１ｂの間隔とほぼ同じ長さか開口部９の横の間隔より長く取る。
【００２９】
またフィルタ３１のプリーツの折り線３２ａは開口部９に向かうように横方向（本電気掃除機の通常の使用状態で水平）に折り込まれて形成されており、集塵フィルタの折り方向とフィルタ濾材３２の折り方向が同じになっている。本実施形態５では集塵フィルタ４の折り方向とフィルタ濾材３２の折り方向を横（水平）にしたが、これらの両方を縦（垂直）にしてもよい。
【００３０】
本実施形態５では、電動送風機１に通電が開始されると集塵フィルタ４はホース（図示せず）を介して流入した塵埃と空気により、左右に折り畳んだ集塵袋４ａが図９の矢印ａ，ｂのように開き広がり塵埃と空気を濾過し塵埃のみを捕集する。このとき集塵袋４ａはプリーツの山部３２ａと線接触となるため、さほど抵抗にならず広がることができる。
【００３１】
ここで仮に集塵フィルタ４の折り方向を横、フィルタ濾材３２の折り方向を縦にした場合、左右に折り畳んだ集塵袋４ａはプリーツの山部３２ａの面に当たり、面接触となり抵抗が大きく集塵袋４ａが正規に開かない場合がある。しかし本実施形態５では、集塵フィルタ４の開く方向とフィルタ濾材３２の折り方向を同じにしているので、プリーツの山部３２ａの頂点と接触するため線接触となり抵抗が小さく開きがスムーズとなる。
【００３２】
本実施形態５では、フィルタ３１はフィルタ枠２９とフィルタ濾材３２が一体に形成されており、開口部９とフィルタ３１の裏面との間に隙間を設け、内部リブ２９ｂをフィルタ濾材３２のプリーツと平行にしている。このため、従来技術より部品点数が減り、フィルタ濾材の固着強度にバラツキがなくなっている。また電動送風機に流れる空気は塞き止められることがなく、フィルタ濾材が仕切り壁に吸い付くこともない。
【００３３】
さらに、フィルタ３１の横方向の長さを集塵室の左右の壁１０１ａ、１０１ｂの間隔とほぼ同じにしたのでフィルタ濾材３２の面積が増加し、フィルタ３１の圧力損失が低減できるとともに、集塵フィルタ４の後部が大きく広がりフィルタ３１に当接しているので集塵フィルタ４の圧力損失も低減することができる。
またプリーツの折り線３２ａが開口部９に向かうようにしたので、仕切り壁８の開口部前面外より流入する空気（開口部９から離れた所から流れる空気）は、プリーツ状のフィルタを何度も通過しないので圧力損失を増加させてしまうことはない。また、集塵袋４ａが波状になり集塵フィルタ４の排気面積が拡大され集塵フィルタ４の圧力損失を低減できる。
【００３４】
実施形態６．
図１０は本発明の実施形態６に係る電気掃除機の横断面の模式図であり、図１１はこの電気掃除機の縦断面の模式図である。また図１２は図１０の集塵室１０１の断面の模式図であり、図１３は図１０のフィルタ３１の模式図である。
図１３に示すように、フィルタ３１は、フィルタ濾材３２のプリーツ折り線３２ａと内部リブ２９ｂが横方向（本電気掃除機の通常の使用状態で水平）に配置されている点を除いて、図７の実施形態３のフィルタ３１と同一である。
【００３５】
このとき、フィルタ濾材３２は図１１に示すようにフィルタ枠の２９の仕切り壁８側に隙間ｔ１ができるように形成されている。またフィルタ３１のプリーツの折り線３２ａは開口部９に向かうように横方向（本電気掃除機の通常の使用状態で水平）に折り込まれて形成されている。さらに図１２に示すように内部リブ２９ｂがフィルタ濾材３２のプリーツの折り線と平行に１本設けられている。なお内部リブ２９ｂは複数本設けてもよい。内部リブ２９ｂは吸込時の風圧に耐えられるようフィルタ３１の裏側（仕切り壁側）から設けるのが望ましい。フィルタ３１の横方向の長さは図１０に示すように、集塵室１０１の左右の壁１０１ａ、１０１ｂの間隔とほぼ同じである。
【００３６】
本実施形態６では、電動送風機１に通電が開始されると、集塵フィルタ４はホース（図示せず）を介して流入された塵埃と空気により左右に折り畳んだ集塵袋４ａが集塵室いっぱいに広がり、後ろのフィルタ３１のフィルタ枠２９及び内部リブ２９ｂと当接して、塵埃と空気を濾過し塵埃のみを捕集する。そして空気は、フィルタ３１を通り電動送風機１へ流れる。このとき開口部９とフィルタ３１の間には隙間ｔ１が設けてあり、またプリーツの折り線３２ａは開口部９に向かうようにしてあるので空気は谷部に沿って流れるため、必要以上に濾材を通過することなく開口部９へ流れる。またこのとき、内部リブ２９ｂはフィルタ濾材３２のプリーツと平行なので、空気は内部リブ２９ｂに塞き止められずに開口部９に流れる。
【００３７】
また、フィルタ３１がフィルタ枠２９とフィルタ濾材３２で一体に形成されており、開口部９とフィルタ３１の裏面の間に隙間を設けて、内部リブ２９ｂをフィルタ濾材３２のプリーツの折り線と平行にしてある。このため、従来技術（例えば、特許文献１参照。）より部品点数が減り、フィルタ濾材の固着強度のバラツキがなくなる。また、電動送風機１へ流れる空気は塞き止められることがなく、フィルタ濾材が仕切り壁に吸い付くこともない。
【００３８】
さらに、フィルタ３１の横方向の長さを集塵室１０１の左右の壁１０１ａ，１０１ｂの間隔とほぼ同じにしたので、フィルタ濾材３２の面積が増加しフィルタ３１の圧力損失が低減できとともに、集塵フィルタ４後部がフィルタ３１の前面いっぱいに広がるため集塵フィルタ４の圧力損失も低減できる。またプリーツの折り線３２ａが開口部９に向かうようにしてあるので仕切り壁の開口部前面外から流入する空気（開口部から離れた所から流れる空気）は、プリーツ状のフィルタを何度も通過しないから、圧力損失を増加させることはない。
【００３９】
【発明の効果】
以上のように本発明によれば、フィルタが、フィルタ枠とフィルタ濾材を一体に形成してなるため、フィルタ部分の部品点数を減らすことができ、またフィルタ強度のバラツキの少ない電気掃除機を提供することができる。
【図面の簡単な説明】
【図１】本発明の実施形態１に係る電気掃除機の横断面の模式図である。
【図２】本発明の実施形態１に係る電気掃除機用フィルタの模式図である。
【図３】本発明の実施形態２に係る電気掃除機の横断面の模式図である。
【図４】本発明の実施形態２に係る電気掃除機用フィルタの裏側の模式図である。
【図５】本発明の実施形態２に係る電気掃除機用フィルタの表側の模式図である。
【図６】本発明の実施形態３に係る電気掃除機の集塵室の断面の模式図である。
【図７】本発明の実施形態３に係る電気掃除機用フィルタの模式図である。
【図８】本発明の実施形態４に係る電気掃除機の横断面の模式図である。
【図９】本発明の実施形態５に係る電気掃除機の横断面の模式図である。
【図１０】本発明の実施形態６に係る電気掃除機の横断面の模式図である。
【図１１】本発明の実施形態６に係る電気掃除機の縦断面の模式図である。
【図１２】本発明の実施形態６に係る電気掃除機の集塵室の断面の模式図である。
【図１３】本発明の実施形態６に係る電気掃除機用フィルタの模式図である。
【符号の説明】
１  電動送風機、１ａ  電動送風機収納部、２  コードリール、２ａ  コードリール収納室、４  集塵フィルタ、４ａ  集塵袋、８  仕切り壁、９  開口部、２９  フィルタ枠、２９ｂ  内部リブ、３１  フィルタ、３１ａ  プリーツの谷部、３２  フィルタ濾材、３２ａ  プリーツの山部、１０１  集塵室、１０１ａ
集塵室の右壁、１０１ｂ  集塵室の左壁、１０２  フック。
【図１】
2004174020.tif 000003
【図２】
2004174020.tif 000004
【図３】
2004174020.tif 000005
【図４】
2004174020.tif 000006
【図５】
2004174020.tif 000007
【図６】
2004174020.tif 000008
【図７】
2004174020.tif 000009
【図８】
2004174020.tif 000010
【図９】
2004174020.tif 000011
【図１０】
2004174020.tif 000012
【図１１】
2004174020.tif 000013
【図１２】
2004174020.tif 000014
【図１３】
2004174020.tif 000015